(57)【特許請求の範囲】
【請求項１】
有底で上端開放部が閉蓋可能となされた外筒体と、該外筒体内に立設状態に納設され且つ上端が開放された内筒体との間をなす流入空間に、雨水の排水路からの被処理雨水が流入し、この被処理雨水が、該内筒体の下部側に設けられた取水部から該内筒体内に導入されるようになされると共に、該内筒体内で濾過処理された処理雨水が、該内筒体の側壁部に連結され且つ前記外筒体の側壁部を貫通する流出管を通して排出されるようになされた筒状濾過槽であって、
前記内筒体は、上端が開放され且つ前記内筒体の下側部分を構成する筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結してなり、
又、前記取水部を形成するための台座装置を具えており、該台座装置は、前記外筒体の底面で所要間隔を置いて立設された支柱ボルトの夫々を、前記内筒体の下端を支持する支持片に設けられた挿通孔に挿通させると共に該支持片を、該支柱ボルトに螺合されたナットによって上下から挾持してなり、前記ナットの螺合位置を変更することによって該支持片の高さ調整を行い得るようになされており、又、前記ナットと前記筒体の内周面又は外周面との当接による係合によって前記内筒体の水平方向での移動が阻止されていることを特徴とする筒状濾過槽。
【請求項２】
雨水排水路と、筒状濾過槽とを具えており、該雨水排水路から流入した被処理雨水が筒状濾過槽外に、重力の作用で自然流下により排出されるように構成された雨水処理装置であって、
前記筒状濾過槽は、有底で上端開放部が閉蓋可能となされた外筒体内に、上端が開放された内筒体が立設状態に納設され、該外筒体と該内筒体との間に流入空間が形成されており、該内筒体は、前記外筒体の底面で立設されており、該内筒体の下部側に、該流入空間に連通する取水部が設けられており、又、該内筒体内には、該取水部の上側に位置させて濾材が収容されており、
前記内筒体の側壁部には、前記外筒体の側壁部を貫通する流出管の上流開口端が前記濾材の上側に位置させて連結されており、又、前記雨水排水路の側壁部と前記外筒体の側壁部とは流入管で連結されており、該流入管の下流端の管底は、前記流出管の上流端の管底よりも上に位置されており、
前記内筒体の上端は、前記流入管から流入された被処理雨水が越流しない高さに設定され、或いは、該内筒体の上端が閉蓋可能となされており、
又、前記内筒体は、その下側部分をなす筒状濾過槽構成用の濾過槽本体部材を具えており、該濾過槽本体部材は、上端が開放された筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結するための上部連結管部が設けられており、
又、前記取水部を形成するための台座装置を具えており、該台座装置は、前記外筒体の底面で所要間隔を置いて立設された支柱ボルトの夫々を、前記内筒体の下端を支持する支持片に設けられた挿通孔に挿通させると共に該支持片を、該支柱ボルトに螺合されたナットによって上下から挾持してなり、前記ナットの螺合位置を変更することによって該支持片の高さ調整を行い得るようになされており、又、前記ナットと前記筒体の内周面又は外周面との当接による係合によって前記内筒体の水平方向での移動が阻止されていることを特徴とする雨水処理装置。
【請求項３】
雨水排水路と、筒状濾過槽と、雨水を地下浸透させる地下浸透層とを具えており、前記雨水排水路から流入した被処理雨水が筒状濾過槽外に、重力の作用で自然流下により排出されるように構成された雨水処理装置であって、
前記筒状濾過槽は、有底で上端開放部が閉蓋可能となされた外筒体内に、上端が開放された内筒体が立設状態に納設され、該外筒体と該内筒体との間に流入空間が形成されており、該内筒体は、前記外筒体の底面で立設されており、該内筒体の下部側に、該流入空間に連通する取水部が設けられており、又、該内筒体内には、該取水部の上側に位置させて濾材が収容されており、
前記内筒体の側壁部には、前記外筒体の側壁部を貫通する流出管の上流開口端が前記濾材の上側に位置させて連結されており、又、前記雨水排水路の側壁部と前記外筒体の側壁部とは流入管で連結されており、該流入管の下流端の管底は、前記流出管の上流端の管底よりも上に位置されており、
前記内筒体の上端は、前記流入管から流入された被処理雨水が越流しない高さに設定され、或いは、該内筒体の上端が閉蓋可能となされており、
又、前記内筒体は、その下側部分をなす筒状濾過槽構成用の濾過槽本体部材を具えており、該濾過槽本体部材は、上下端が開放された筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結するための上部連結管部が設けられており、
又、前記取水部を形成するための台座装置を具えており、該台座装置は、前記外筒体の底面で所要間隔を置いて立設された支柱ボルトの夫々を、前記内筒体の下端を支持する支持片に設けられた挿通孔に挿通させると共に該支持片を、該支柱ボルトに螺合されたナットによって上下から挾持してなり、前記ナットの螺合位置を変更することによって該支持片の高さ調整を行い得るようになされており、又、前記ナットと前記筒体の内周面又は外周面との当接による係合によって前記内筒体の水平方向での移動が阻止されており、
又、前記流出管の前記地下浸透層に存する部分には、該地下浸透層に前記処理雨水を排出させる流出孔が分散状態に設けられていることを特徴とする雨水処理装置。
【請求項４】
雨水排水路と、筒状濾過槽と、雨水を地下浸透させる地下浸透層と、雨水貯留槽とを具えており、前記雨水排水路から流入した被処理雨水が、該雨水貯留槽に、重力の作用で自然流下により流入されるように構成された雨水処理装置であって、
前記筒状濾過槽は、有底で上端開放部が閉蓋可能となされた外筒体内に、上端が開放された内筒体が立設状態に納設され、該外筒体と該内筒体との間に流入空間が形成されており、該内筒体は、前記外筒体の底面で立設されており、該内筒体の下部側に、該流入空間に連通する取水部が設けられており、又、該内筒体内には、該取水部の上側に位置させて濾材が収容されており、
前記内筒体の側壁部には、前記外筒体の側壁部を貫通する流出管の上流開口端が前記濾材の上側に位置させて連結されており、又、前記雨水排水路の側壁部と前記外筒体の側壁部とは流入管で連結されており、該流入管の下流端の管底は、前記流出管の上流端の管底よりも上に位置されており、
前記内筒体の上端は、前記流入管から流入した被処理雨水が越流しない高さに設定され、或いは、該内筒体の上端が閉蓋可能となされており、
又、前記内筒体は、その下側部分をなす筒状濾過槽構成用の濾過槽本体部材を具えており、該濾過槽本体部材は、上端が開放された筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結するための上部連結管部が設けられており、
又、前記流出管は、前記地下浸透層を横断しており、該横断部分には、該地下浸透層に前記処理雨水を排出させる流出孔が分散状態に設けられており、該流出管の下流部が前記雨水貯留槽の上部に連結されており、
又、該雨水貯留槽には、貯留水を排出するための排出部が設けられていることを特徴とする雨水処理装置。
【請求項５】
前記外筒体は、基礎上に載置された底版部材上で、上下端が開放した所要高さの筒状ブロックを、外筒体の必要な高さを考慮して所要段数積重して構成されていることを特徴とする請求項３又は４記載の雨水処理装置。
【請求項６】
前記流入管を前記雨水排水路の側壁部の下端側に連結したことを特徴とする請求項３、４又は５記載の雨水処理装置。
【発明の詳細な説明】
【技術分野】
【０００１】
本発明は、濾材が収容される内筒体を有底の外筒体内に立設状態に納設してなる筒状濾過槽に関するものである。又、該筒状濾過槽を用いて構成された雨水処理装置に関するものである。
【背景技術】
【０００２】
降雨による道路排水や家屋の屋根等に降り注いだ雨水は、側溝等の雨水排水路を通じて河川等に放流されたり下水道に排出されているが、かかる放流や排出の前に汚濁物質を濾過して雨水を浄化するように構成された雨水濾過装置の一例として、特許文献１が開示する筒状雨水濾過器が提案されている。
【０００３】
該筒状雨水濾過器ａは図２９に示すように、有底の外筒体ｂ内に内筒体ｃを立設してなり、該外筒体ｂは、下端ｄが底板ｅで閉塞され且つ上端ｆが蓋体ｇで開閉可能に閉蓋されるものであり、又該内筒体ｃは、該外筒体ｂよりも高さが低く形成され下端に連通部ｈが形成されてなり該底板ｅ上に同心状に立設されるものであった。そして該内筒体ｃの上部ｊに、前記外筒体ｂを貫通して設けられた流出管ｋが連結されると共に、前記外筒体ｂに、該流出管ｋよりも高い位置で流入管ｍが連結されてなり、前記内筒体ｃの内部ｎには、着脱自在な下部フィルター板ｐと上部フィルター板ｑとで区画された空間ｒに濾材ｓが収容されてなるものであった。そして、前記流入管ｍから外筒体ｂと内筒体ｃとの間の流入空間ｖに流入した雨水は、前記連通部ｈから内筒体ｃ内に流入して前記濾材ｓを下方から上方へ通過する間に流入雨水中の有害物質が吸着除去され、前記流出管ｋから外部に排出されるようになされていた。又、集中豪雨等によって前記流入管ｍから流入する排水の量が増加し、外筒体ｂと内筒体ｃとの間に溜まった排水の水位が上昇して内筒体ｃの上端ｔを越えると、流入管ｍから流入した排水の一部は、直接、流出管ｋから排出されるものであった。
【０００４】
このように該筒状雨水濾過器ａは、外筒体ｂ内に内筒体ｃを立設した構成を有するため、道路に沿って構築された側溝に対する前記流入管ｍの連結部ｕの地中内での深さに応じて該外筒体ｂと該内筒体ｃの高さを所要に設定すれば、該側溝を流下する雨水中の汚濁物質を濾過できる所要高さの筒状雨水濾過器ａを構成できる利点があった。
【０００５】
ところで側溝の深さは、側溝に流入する雨水の流入量を考慮して設定されるものであるため、前記筒状雨水濾過器ａの必要な高さは、その施工場所に応じて異なるものであり一定していない。そのため、雨水濾過の要となる濾材収容構造部を含む所要高さの筒状雨水濾過器ａの全体を、施工場所に応じて個別的に設計製作せざるを得ず、施工性が悪く施工コストの上昇を招く問題があった。
【０００６】
又、前記筒状雨水濾過器ａは、前記流入管ｍから流入する雨水の量が多い場合には、排水の一部が直接、流出管ｋから排出される構成であったため、濾過処理されない雨水が流出管から排出されてしまう不具合があった。
【先行技術文献】
【特許文献】
【０００７】
【特許文献１】実用新案登録第３１４８９２１号公報
【発明の概要】
【発明が解決しようとする課題】
【０００８】
本発明は、前記従来の問題点に鑑みて開発されたものであり、
(1) 筒状濾過槽を構築する際の施工手間の削減や施工コストの低減を期し得る筒状濾過槽と雨水処理装置の提供を課題とするものである。
【０００９】
(2) 又本発明は、雨水排水路からの被処理雨水を効率的に濾過できて、濾過処理された綺麗な処理雨水のみを筒状濾過槽外に排出させることのできる雨水処理装置の提供を課題とするものである。より具体的には、処理雨水をそのまま河川に流すときには河川の汚濁防止に寄与でき、該処理雨水を雨水貯留槽に貯留するときにはこれを中水として利用でき、更に、該処理雨水を地下浸透層で地下浸透させるときには、該処理雨水が綺麗であることから地下浸透層を目詰まりさせにくく、長期間に亘って地下浸透機能を維持でき、加えて、綺麗な処理雨水を地下浸透させることで地下水を汚染することがなく、これらによって地下水の涵養を長期間に亘って良好に行なうことのできる雨水処理装置の提供を課題とするものである。
【００１０】
(3) 又本発明は、処理雨水を、地下浸透を優先させて雨水貯留槽に一時的に貯留させることができ、これによって、河川への急激な雨水流出を抑制できる雨水処理装置の提供を課題とするものである。
【課題を解決するための手段】
【００１１】
前記課題を解決するため、本発明に係る筒状濾過槽構は、有底で上端開放部が閉蓋可能となされた外筒体と、該外筒体内に立設状態に納設され且つ上端が開放された内筒体との間をなす流入空間に、雨水の排水路からの被処理雨水が流入し、この被処理雨水が、該内筒体の下部側に設けられた取水部から該内筒体内に導入されるようになされると共に、該内筒体内で濾過処理された処理雨水が、該内筒体の側壁部に連結され且つ前記外筒体の側壁部を貫通する流出管を通して排出されるようになされており、前記内筒体は、上端が開放され且つ前記内筒体の下側部分を構成する筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結してなる。又、前記取水部を形成するための台座装置を具えており、該台座装置は、前記外筒体の底面で所要間隔を置いて立設された支柱ボルトの夫々を、前記内筒体の下端を支持する支持片に設けられた挿通孔に挿通させると共に該支持片を、該支柱ボルトに螺合されたナットによって上下から挾持してなり、前記ナットの螺合位置を変更することによって該支持片の高さ調整を行い得るようになされており、又、前記ナットと前記筒体の内周面又は外周面との当接による係合によって前記内筒体の水平方向での移動が阻止されていることを特徴とするものである。
【００１２】
本発明に係る雨水処理装置の第１の態様は、雨水排水路と、筒状濾過槽とを具えており、該雨水排水路から流入した被処理雨水が筒状濾過槽外に、重力の作用で自然流下により排出されるように構成されており、前記筒状濾過槽は、有底で上端開放部が閉蓋可能となされた外筒体内に、上端が開放された内筒体が立設状態に納設され、該外筒体と該内筒体との間に流入空間が形成されており、該内筒体は、前記外筒体の底面で立設されており、該内筒体の下部側に、該流入空間に連通する取水部が設けられており、又、該内筒体内には、該取水部の上側に位置させて濾材が収容されている。そして、前記内筒体の側壁部には、前記外筒体の側壁部を貫通する流出管の上流開口端が前記濾材の上側に位置させて連結されており、又、前記雨水排水路の側壁部と前記外筒体の側壁部とは流入管で連結されており、該流入管の下流端の管底は、前記流出管の上流端の管底よりも上に位置されており、前記内筒体の上端は、前記流入管から流入された被処理雨水が越流しない高さに設定され、或いは、該内筒体の上端が閉蓋可能となされている。又、前記内筒体は、その下側部分をなす筒状濾過槽構成用の濾過槽本体部材を具えており、該濾過槽本体部材は、上端が開放された筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結するための上部連結管部が設けられている。又、前記取水部を形成するための台座装置を具えており、該台座装置は、前記外筒体の底面で所要間隔を置いて立設された支柱ボルトの夫々を、前記内筒体の下端を支持する支持片に設けられた挿通孔に挿通させると共に該支持片を、該支柱ボルトに螺合されたナットによって上下から挾持してなり、前記ナットの螺合位置を変更することによって該支持片の高さ調整を行い得るようになされており、又、前記ナットと前記筒体の内周面又は外周面との当接による係合によって前記内筒体の水平方向での移動が阻止されていることを特徴とするものである。
【００１３】
本発明に係る雨水処理装置の第２の態様は、雨水排水路と、筒状濾過槽と、雨水を地下浸透させる地下浸透層とを具えており、前記雨水排水路から流入した被処理雨水が筒状濾過槽外に、重力の作用で自然流下により排出されるように構成されており、前記筒状濾過槽は、有底で上端開放部が閉蓋可能となされた外筒体内に、上端が開放された内筒体が立設状態に納設され、該外筒体と該内筒体との間に流入空間が形成されており、該内筒体は、前記外筒体の底面で立設されており、該内筒体の下部側に、該流入空間に連通する取水部が設けられており、又、該内筒体内には、該取水部の上側に位置させて濾材が収容されている。そして、前記内筒体の側壁部には、前記外筒体の側壁部を貫通する流出管の上流開口端が前記濾材の上側に位置させて連結されており、又、前記雨水排水路の側壁部と前記外筒体の側壁部とは流入管で連結されており、該流入管の下流端の管底は、前記流出管の上流端の管底よりも上に位置されており、前記内筒体の上端は、前記流入管から流入された被処理雨水が越流しない高さに設定され、或いは、該内筒体の上端が閉蓋可能となされており、又、前記内筒体は、その下側部分をなす筒状濾過槽構成用の濾過槽本体部材を具えており、該濾過槽本体部材は、上下端が開放された筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結するための上部連結管部が設けられている。そして、前記取水部を形成するための台座装置を具えており、該台座装置は、前記外筒体の底面で所要間隔を置いて立設された支柱ボルトの夫々を、前記内筒体の下端を支持する支持片に設けられた挿通孔に挿通させると共に該支持片を、該支柱ボルトに螺合されたナットによって上下から挾持してなり、前記ナットの螺合位置を変更することによって該支持片の高さ調整を行い得るようになされており、又、前記ナットと前記筒体の内周面又は外周面との当接による係合によって前記内筒体の水平方向での移動が阻止されており、又、前記流出管の前記地下浸透層に存する部分には、該地下浸透層に前記処理雨水を排出させる流出孔が分散状態に設けられていることを特徴とするものである。
【００１４】
本発明に係る雨水処理装置の第３の態様は、雨水排水路と、筒状濾過槽と、雨水を地下浸透させる地下浸透層と、雨水貯留槽とを具えており、前記雨水排水路から流入した被処理雨水が、該雨水貯留槽に、重力の作用で自然流下により流入されるように構成されており、前記筒状濾過槽は、有底で上端開放部が閉蓋可能となされた外筒体内に、上端が開放された内筒体が立設状態に納設され、該外筒体と該内筒体との間に流入空間が形成されており、該内筒体は、前記外筒体の底面で立設されており、該内筒体の下部側に、該流入空間に連通する取水部が設けられており、又、該内筒体内には、該取水部の上側に位置させて濾材が収容されている。そして、前記内筒体の側壁部には、前記外筒体の側壁部を貫通する流出管の上流開口端が前記濾材の上側に位置させて連結されており、又、前記雨水排水路の側壁部と前記外筒体の側壁部とは流入管で連結されており、該流入管の下流端の管底は、前記流出管の上流端の管底よりも上に位置されており、前記内筒体の上端は、前記流入管から流入した被処理雨水が越流しない高さに設定され、或いは、該内筒体の上端が閉蓋可能となされている。又、前記内筒体は、その下側部分をなす筒状濾過槽構成用の濾過槽本体部材を具えており、該濾過槽本体部材は、上端が開放された筒体を具え、該筒体の下部側に前記取水部が設けられると共に、該筒体の内部には、該取水部の上側に位置させて濾材が収容されるものとなされており、又、該筒体の側壁部には、前記流出管を該筒体の内部に連通状態に連結するための側部連結部が設けられており、該筒体の上部分には、前記内筒体の上側部分を構成する継足し筒の下部分を連通状態に連結するための上部連結管部が設けられている。又、前記流出管は、前記地下浸透層を横断しており、該横断部分には、該地下浸透層に前記処理雨水を排出させる流出孔が分散状態に設けられており、該流出管の下流部が前記雨水貯留槽の上部に連結されており、又、該雨水貯留槽には、貯留水を排出するための排出部が設けられていることを特徴とするものである。
【００１５】
前記の第１、第２、第３の態様に係る雨水処理装置において、前記外筒体は、基礎上に載置された底版部材上で、上下端が開放した所要高さの筒状ブロックを、外筒体の必要な高さを考慮して所要段数積重して構成するのがよい。
【００１６】
又、前記の第１、第２、第３の態様に係る雨水処理装置において、前記流入管を前記雨水排水路の側壁部の下端側に連結するのがよい。
【発明の効果】
【００１７】
本発明は以下の如き優れた効果を奏する。
(1) 本発明に係る濾過槽本体部材は、筒状濾過槽を構成する内筒体の下側部分を構成するものであり、上端が開放された筒体を具え、該筒体の下部側に取水部が設けられると共に、該筒体の内部には、該取水部の上側に位置させて濾材が収容されるものとなされている。又、該筒体の側壁部には、前記流出管を連結するための側部連結部が設けられており、該筒体の上部分には、前記内筒体の上側部分を構成する継足し筒の下部分を連結するための上部連結管部が設けられている。
【００１８】
かかることから、筒状濾過槽を構成する内筒体を構成するに際しては、一定の上下長さを有し且つ構造の規格された濾過槽本体部材を、施工現場の如何によらず共通して用いることができる。そして施工現場において、前記筒体の上部分に、構築すべき筒状濾過槽の高さに応じて所要長さに設定した継足し筒を連結しさえすれば、該継足し筒の長さに応じて、所要長さの内筒体を簡易且つコスト低減を図って構成できることになる。
【００１９】
このように本発明によるときは、濾過槽本体部材を、施工現場の如何によらず共通して用いることができるため、従来のように、施工現場に応じて筒状濾過槽の全体を個別に設計製作しなければならないといった不経済がなく、筒状濾過槽を構成する際の施工能率の向上と施工コストの低減を期し得ることとなる。
【００２０】
(2) 特に、前記濾過槽本体部材を構成する前記筒体の上部分に、拡大連結管部としての上部連結管部を設ける共に、前記継足し筒を、直線状のパイプを所要長さに切断して構成し、該継足し筒の下端部を該拡大連結管部に挿入する構成を採用するときは、内筒体を、より一層簡易に且つコスト低減を図って構成できることになる。
【００２１】
(3) 本発明に係る雨水処理装置において、前記構成の濾過槽本体部材を用いてなる内筒体を、有底の外筒体内に立設状態に納設するに際し、該外筒体の底面に設けた台座装置を用いて該内筒体の下端を該底面から所要に浮き上げ、これによって、該内筒体内への取水部を構成する場合は、該台座装置による高さ調整により、内筒体内に被処理雨水を円滑に流入させるために必要な大きさの取水部を簡易且つ確実に構成できることとなる。
【００２２】
加えて、該台座装置を用いて内筒体を浮き上げて取水部を構成するときは、該内筒体の側壁部の下端部分に欠切部や開口部を設けて取水部を構成する場合とは異なり、内筒体に特別な加工を施す必要がない。かかることから、内筒体の製造コストの低減を期し得ると共に、かかる欠切部や開口部を設けることに伴う内筒体の強度低下を招く恐れもない。
【００２３】
(4) 又、前記台座装置を用いて前記取水部を形成する構成を採用するときは、前記内筒体の下端の浮き上げ高さを所要に設定するのが容易であるため、前記筒体の側部連結部に対する前記流出管の連結を容易化し得る。又、前記外筒体の下側に所要大きさの泥溜め部を形成するのも容易である。加えて、該台座装置によって、前記内筒体の水平方向での移動も阻止できる。
【００２４】
(5) 前記外筒体の底面を、その中央部分に向けて下方に傾斜した傾斜面として構成すると共に、前記濾材支持部を網状板として構成し、該網状板の網目を通して吸管の下端部分を下方に挿入可能とするときは、前記流入空間で沈殿した沈殿物を該中央部分に寄せることができ、かかる沈殿物を、該吸管により効率よく吸引して排除できることになる。かかることから、筒状濾過槽の維持管理の容易化を達成できることになる。
【００２５】
(6) 本発明に係る雨水処理装置は、前記構成を有する濾過槽本体部材を用いて構成された内筒体を外筒体内に立設状態に納設してなる前記筒状濾過槽を用いて構成されている。そして、前記内筒体の上端は、前記流入管から流入された被処理雨水が越流しない高さに設定され、或いは、該内筒体の上端が閉蓋可能となされている。かかることから、前記流入空間の被処理雨水が該内筒体内に流入するのを防止でき、従って、雨水排水路からの被処理雨水を該筒状濾過槽で効率的に濾過処理できることになる。
【００２６】
このように濾過処理された処理雨水は綺麗であるため、該処理雨水をそのまま河川に流すときには、雨水排水路を流下する雨水を直接河川に流す場合に比し河川の汚濁防止に寄与できる。又、該処理雨水を雨水貯留槽に貯留することにより、これを中水として利用できることになる。
【００２７】
更に、該処理雨水を地下浸透層で地下浸透させるときには、該処理雨水が綺麗であることから地下浸透層を目詰まりさせにくく、長期間に亘って地下浸透機能を維持できることになる。加えて、綺麗な処理雨水を地下浸透させることで、地下水を汚染することなく地下水の涵養を図ることができる。
【００２８】
特に、前記流入管の上流端側部分を前記雨水排水路の側壁部の下端側に連結するときは、該雨水排水路を流れる水の殆どを有効活用して地下浸透させ得ることとなって好ましい。
【００２９】
又、前記地下浸透層における地下浸透量を越えた余剰の処理雨水を雨水貯留槽に流入させるときは、豪雨時等の非常時においては、地下浸透を優先してそれを超える分を雨水貯留槽に貯留できる。そのため、処理雨水を直接的に雨水貯留槽に流入させる場合に比し、雨水貯留槽への処理雨水の流入量を減少させることができ、従って、雨水貯留槽を大型に構成しなくても河川への流出抑制を図り得ることとなる。更に、平常時において、地下浸透しきれない余剰の処理雨水が生じた場合は、これを雨水貯水槽に貯留して中水として活用できる。
【００３０】
このように本発明に係る雨水処理装置によるときは、平常時においては、地下水の涵養を図ることができ、処理雨水を中水として活用することもでき、非常時においては、河川への急激な雨水流出を抑制して河川の氾濫防止に寄与できるのであり、該雨水処理装置は、平常時にも非常時にも有効活用できる実用性の高いものである。
【００３１】
(7) 本発明に係る雨水処理装置の筒状濾過槽を構築する前記外筒体を、複数個の筒状ブロックを積重して構成するときは、前記内筒体を、濾過槽本体部材の上部連結管部に継足し筒の下部分を連通状態に連結して構成することと相俟って、施工現場に適合する所要高さの筒状濾過槽を、前記筒状ブロックの積重段数を所要に設定し且つ前記継足し筒の長さを所要に設定することにより、組み立て方式で簡易に構成できることになる。これにより、筒状濾過槽構築の施工性の向上と施工コストの低減を期し得ることとなる。
【図面の簡単な説明】
【００３２】
【図１】本発明に係る雨水処理装置を示す斜視図である。
【図２】その断面図である。
【図３】雨水排水路の側壁部に流入管を連結した状態を示す断面図である。
【図４】筒状濾過槽の構成をその作用と共に示す断面図である。
【図５】筒状濾過槽を構成する外筒体の構成を示す分解斜視図である。
【図６】内筒体の下側部分を構成する濾過槽本体部材を示す斜視図である。
【図７】濾過槽本体部材を構成する筒体と濾材支持部材を示す斜視図である。
【図８】内筒体を台座装置で支持した状態を示す断面図である。
【図９】内筒体の構成を、収容される濾材と共に示す分解斜視図である。
【図１０】濾過槽本体部材の筒体の側壁部に流出管を連結した状態を示す断面図である。
【図１１】台座装置を構成する構成部材を示す分解斜視図である。
【図１２】内筒体に収容した濾材の浮上りを防止する浮上り防止部材を内筒体に固定する固定構造を説明する斜視図である。
【図１３】その固定状態を示す断面図である。
【図１４】地下浸透層の構成を説明する断面図である。
【図１５】雨水貯留槽の構成を説明する断面図である。
【図１６】雨水貯留槽の他の態様を示す断面図である。
【図１７】雨水処理装置の他の実施例を示す断面図である。
【図１８】雨水処理装置を構成する筒状濾過槽の他の実施例を示す断面図である。
【図１９】雨水処理装置を構成する雨水排水路の他の態様と筒状濾過槽の他の実施例を示す断面図である。
【図２０】内筒体の他の実施例を示す断面図である。
【図２１】筒体と継足し筒とを連結する他の態様を示す断面図である。
【図２２】濾過槽本体部材を構成する筒体の他の態様を示す斜視図である。
【図２３】濾過槽本体部材を構成する筒体のその他の態様を示す斜視図である。
【図２４】内筒体の上端開放部を蓋版で閉蓋した状態を示す断面図である。
【図２５】内筒体を台座装置で支持する他の態様を示す断面図である。
【図２６】内筒体に対する流出管の他の連結態様を示す断面図である。
【図２７】雨水処理装置の他の実施例を示す断面図である。
【図２８】雨水処理装置のその他の実施例を示す断面図である。
【図２９】従来の筒状雨水濾過器の構成を示す断面図である。
【発明を実施するための形態】
【実施例１】
【００３３】
図１〜２において本発明に係る雨水処理装置１は、雨水排水路２を流下する被処理雨水３を流入管５を介して筒状濾過槽６内に流入させた後、該被処理雨水３を濾材７で濾過処理し、濾過処理された処理雨水９を流出管１０を介して、筒状濾過槽６外に、重力の作用で自然流下により排出（本実施例においては雨水貯留槽１１に排出）させるように構成されている。そして該流出管１０は、地下浸透層１２を横断する如くなされ、該地下浸透層１２に存する管部分１３に流出孔１５が分散状態に設けられており、前記処理雨水９が該流出孔１５から該地下浸透層１２に排出されるように構成されている。又、地下浸透量を超えた余剰の処理雨水９は雨水貯留槽１１に流入して一時貯留されるようになされ、該雨水貯留槽１１には、貯留水１６を排出するための排出部１７が設けられている。
【００３４】
以下、前記筒状濾過槽６の構成をより具体的に説明する。該筒状濾過槽６は、図２〜４に示すように、有底で上端開放部１９が閉蓋可能となされた外筒体２０と、該外筒体２０内に、上下方向の軸線を略合致させて立設状態に納設された、上下端２１，２２が開放された内筒体２３とを具えている。該内筒体２３は、本実施例においては下端２２も開放されており、その下側部分２５を構成する濾過槽本体部材２６を有する。そして、前記外筒体２０と前記内筒体２３との間をなす流入空間３０に、例えば側溝２ａとしての雨水排水路２からの被処理雨水（道路や道路外の地表の降雨水だけではなく建物の屋根面の降雨水等）３が、該雨水排水路２の側壁部３１と該外筒体２０の側壁部３２とを連結する前記流入管（例えば円形パイプからなり、内径は例えば１５０ｍｍ）５を介して流入し、該被処理雨水３が、該内筒体２３の下部側に設けられた取水部３３から該内筒体２３内に導入されるようになされている。そして、該内筒体２３内に収容されている前記濾材７で濾過処理された処理雨水９が、該内筒体２３の側壁部３６に連結され且つ前記外筒体２０の側壁部３１を貫通する前記流出管（例えば円形パイプからなり、内径は例えば１５０ｍｍ）１０を介して筒状濾過槽６外に排出されるようになされている。
【００３５】
前記外筒体２０は本実施例においては図１〜２、図４〜５に示すように、上端側３７が円錐状に縮径し且つ上端が開放された組立式のコンクリート製外筒体として構成されており、基礎４０上に載置される底版部材４１と、該底版部材４１上に載置される、高さの大なる、上下端が開放された円筒状部材４２と、該円筒状部材４２上に載置される円錐状部材４３と、該円錐状部材４３上に載置される高さの低い円形リング部材４５と、該円形リング部材４５上に載置されるリング状蓋受部材４６と、該リング状蓋受部材４６の上端開放部を覆う蓋版（例えば鉄蓋）４９とを具えている。
【００３６】
前記底版部材４１は、図４〜５に示すように、水平な下面５０で基礎４０上に載置される円板状を呈し、その上面部５１の外周縁部分には係合突条５２が周設されている。又前記円筒状部材４２は、上下端が開放された同径の円筒状を呈しており、その下端部５３の外周縁部分には、前記係合突条５２と嵌合し得る係合条溝５５が周設されると共に、その上端部５６の外周縁部分には係合突条５７が周設されている。又、該円筒状部材４２の周壁部５９の対向側６０ａ，６０ｂの一方６０ａの上端寄り部位には、前記流入管５の下流端部分６１を挿入させるための流入管挿入孔６２が設けられている。そして、該対向側の他方６０ｂの上下略中央部位には、前記流出管１０を挿通させる流出管挿通孔６３が設けられている。又、前記リング状蓋受部材４６は、その水平な下面６５が前記円形リング部材４５の上面６６に載置されると共に、その上部には、前記蓋版４９の周縁部分６７を嵌め入れる嵌合凹部６９が周設されている。そして、該リング状蓋受部材４６の台座片７０が前記円形リング部材４５に、所要の角度ピッチでボルト固定されることにより、該リング状蓋受部材４６が該円形リング部材４５にボルト固定されている。
【００３７】
ここで、前記部材について主要部の寸法を例示すれば、該筒状濾過槽６の高さは１５００〜３０００ｍｍに、例えば２１００ｍｍ程度に設定されている。又、外筒体２０の前記円筒状部材４２の内径は例えば９００ｍｍ程度に設定され、この場合、内筒体２３の内径は３００〜６００ｍｍに、例えば５００ｍｍ程度に設定されている。又、前記円筒状部材４２は、その外径が１０５０ｍｍ程度でその高さが１４６０ｍｍ程度に設定されている。又、前記流入管５及び前記流出管１０の内径は共に、前記のように１５０ｍｍ程度に設定されており、前記流入管挿入孔６２の内径は２００ｍｍ程度、流出管挿通孔６３の内径は２００ｍｍ程度に設定されている。又前記円錐状部材４３は、その下端７１の内径が９００ｍｍ程度、外径が１０５０ｍｍ程度に設定されており、その上端７２の内径が６００ｍｍ程度、その外径が８２０ｍｍ程度に設定され、その高さが３１５ｍｍ程度に設定されている。又前記円形リング部材４５は、その内径が６００ｍｍ程度、その外径が８２０ｍｍ程度で、その高さが１２０ｍｍ程度に設定されている。
【００３８】
前記濾過槽本体部材２６は、図４、図６〜８に示すように、上下端７３，７５が開放された円筒状の筒体（例えば塩化ビニール製）７６を具え、該筒体７６の下端側７７の内部７４には、前記濾材７が収容されてなる濾材袋７９を載置するための濾材支持部８０を構成する濾材支持部材８１（図６〜７）が設けられる。該濾材支持部材８１を該筒体７６に固定するために、該筒体７６の下端側７７には、周方向に９０度の角度を置いて同一高さで、外のボルト挿通孔８２，８２，８２，８２が貫設されている。該筒体７６の上下長さは、本実施例においては１１３０ｍｍ程度に設定されている。
【００３９】
前記濾材支持部材８１は、図６〜７に示すように、円形リング状部材８３の内側に格子状部材８５を設けてなる円形の網状板８６として構成されており、例えばステンレス製である。該格子状部材８５は、該円形リング状部材８３を構成する線材８７と同径である縦の直線状線材８９，８９と横の直線状線材９０，９０とを格子状に接合してなり、該格子状部材８５の端部９１が、該円形リング状部材８３の内周面９２にスポット溶接されている。そして、該円形リング状部材８３の中央に位置する正方形状の格子目（網目）９３の一辺長さは例えば１５０ｍｍ程度に設定されている。又、前記円形リング状部材８３の下面９５には、９０度の角度を置いて固定片９６，９６，９６，９６が垂設されており、各固定片９６には、前記外のボルト挿通孔８２と位置合わせして内のボルト挿通孔９７が設けられている。
【００４０】
かかる構成の網状板８６からなる濾材支持部材８１を前記筒体７６に固定するに際しては、図６、図８に示すように、該濾材支持部材８１を前記筒体７６内の下端側７７に、前記固定片９６を下向きにして且つ前記内外のボルト挿通孔９７，８２の孔心を合致させた状態で、頭部付きの固定ボルト９９のネジ軸１００を、前記外のボルト挿通孔８２の外側から内側に向けて挿通させる。そして、前記内のボルト挿通孔９７を挿通したネジ軸１００にナット１０１を螺合し締め付けることにより、前記濾材支持部材８１を、４本の固定ボルト９９，９９，９９，９９を用いて該筒体７６に固定でき、これにより、該筒体７６の下端側に、上面部１０２がフラットである前記濾材支持部８０を構成できることになる。
【００４１】
又筒体７６の上部分１０３には、本実施例においては、図４、図６、図９に示すように、継足し筒１０４の下部分１０５を連通状態に連結するための上部連結管部１０６が設けられている。そして該上部連結管部１０６は、本実施例においては、外側に拡大する水平な段差部１０７を介して円筒部が一連に設けられてなる拡大連結管部１０６ａとして構成されている。該拡大連結管部１０６ａに、円筒状を呈する前記継足し筒（例えば塩化ビニール製）１０４の下部分１０５が図４に示すように挿入される。該下部分１０５が該拡大連結管部１０６ａに挿入された状態で、該継足し筒１０４の内周面１０７と該筒体７６の内周面１０９は面一状態に連なり、これによって、該筒体７６の上部分１０３が該継足し筒１０４の下部分１０５に連通状態に連結される。
【００４２】
又、前記筒体７６の側壁部１１０には、図４、図６、図９〜１０に示すように、前記拡大連結管部１０６ａの稍下側に位置させて側部連結部１１１が設けられている。該側部連結部１１１は本実施例においては図４、図６、図１０に示すように、円形管からなる前記流出管１０の上流側部分１０ａを構成する連結管（例えば塩化ビニール製）１１２であり、該側壁部１１０に設けた円形の前記流出管挿通孔６３に連通状態に設けられている。より具体的には、図１０に示すように、該連結管１１２の基端側の端面１１５を該円形孔１１３の外周縁部１１６に密接させ、該端面１１５を該外周縁部１１６に溶着して構成されている。
【００４３】
このようにして、前記筒体７６の下端側７７に濾材支持部８０を設けると共に、該筒体７６の側壁部１１０に側部連結部１１１を設けることによって、前記濾過槽本体部材２６を構成できる。かかる構成の濾過槽本体部材２６は、台座装置１１７を用いて支持される。
【００４４】
該台座装置１１７は例えば図４〜５、図８〜９、図１１に示すように、両切りの支柱ボルト１１９ａからなる支柱部材１１９の４本を用いて構成されている。各支柱ボルト１１９ａは、前記底版部材４１の上面部５１に埋設したインサート１２１に下端部分１２２が螺合されて垂直に立設される。該立設状態の支柱ボルト１１９ａの上端部分１２３には、前記筒体７６の下端７５を下方から支持する支持部１２６を具えた支持片１２７が固定されている。該支持片１２７は本実施例においては、円板状の座金を以て構成されており、該座金の挿通孔１２９に前記支柱ボルト１１９ａの上端部分１２３を挿通せしめ、該上端部分１２３に螺合された上下のナット１３１，１３２を締め付けることによって、該支持片１２７を該支柱ボルト１１９ａの所要高さ部位に固定できる。なお、該挿通孔１２９は、座金等の支持片１２７の縁部で開放した切欠開口を以て構成することもできる。該支持片１２７の前記外筒体２０の底面１３３からの高さは、前記内筒体２３の下端１２５の浮き上げ高さを考慮して例えば１５〜２０ｃｍ程度に設定される。この浮き上げ高さは、前記流入空間３０に流入した被処理雨水３を前記内筒体２３内に円滑に導入させるに必要な取水部３３の大きさを確保できるように所要に調整される。又該浮き上げ高さは、前記外筒体２０の底面１３３における沈殿物の堆積量を考慮して、前記外筒体２０の下側に所要大きさの泥溜め部１３５を確保できるように所要に高さ調整される。更には、前記連結管１１２の軸線Ｌ１が前記流出管挿通孔６３の孔心Ｌ２と略合致するように所要に高さ調整される。
【００４５】
図８は、４本の支柱ボルト１１９ａの上端部分に螺合された上のナット１３１の各外側面１３２が前記筒体７６の内周面１０９に当接乃至近接した状態で該筒体７６の下端１２５が前記支持片１２７で下方から支持された状態を示している。この支持状態で、図１０に示すように、前記連結管１１２の軸線Ｌ１が前記流出管挿通孔６３の孔心Ｌ２と略合致しており、図４、図８（Ａ）に示すように、該筒体７６の下部側に、隣り合う支柱ボルト１１９ａ，１１９ａ間の空間部分１２８と該筒体７６の下端７５（内筒体２の下端２２）とで、所望大きさの前記取水部３３（図４、図８）が設けられている。又、前記外側面１３２と前記内周面１０９との当接による係合によって、前記内筒体２３は、その水平方向での移動が阻止されて、所要高さで支持されることになる。これによって、図４に示すように、前記外筒体２０内の所定位置に内筒体２３が所要に位置決めされて立設状態とされてなる所望の筒状濾過槽６を構成できることとなる。
【００４６】
筒体７６がこのように支持された状態で、図４、図１０に示すように、前記連結管１１２に、前記流出管１０の中間部分１０ｂを構成するジョイント管（例えば塩化ビニール製）１３６が連結される。該ジョイント管１３６は図１０に示すように、円筒部１３７の両端部分に内外のソケット部１３９，１４０が連設されてなり、前記流出管挿通孔６３を通して前記外筒体２０内に挿入された内のソケット部１３９に前記連結管１１２の円筒状の先端部分１４１を挿入し、必要に応じて接着等の手段で固定する。該ジョイント管１３６の外周面１４２と該流出管挿通孔６３の内周面１４３との間の隙間１４５は、例えばモルタル１４６で間詰めされる。この状態で、例えば図１０に示すように、外のソケット部１４０が前記外筒体２０の側壁部３１の外方に突出状態となる。そのため、前記流出管１０の下流部分を構成する下流管１０ｃの一端部分１４７を該外のソケット部１４０に挿入する作業を容易に行なうことができる。この挿入部分は、必要に応じて接着される。これによって図４、図１０に示すように、前記流出管１０を前記筒体７６の内部に連通状態に連結できる。この連結状態で、前記連結管１１２の内周面１４９と前記ジョイント管１３６の内周面１５０と前記下流管１０ｃの内周面１５１は面一状態に連なる。
【００４７】
このようにして筒体７６に流出管１０を連結した後に、或いは該連結に先立って、図４に示すように、前記継足し筒１０４の円筒状の下部分１０５が円筒状の前記拡大連結管部１０６ａ（上部連結管部１０６）に挿入される。該下部分１０５は、必要に応じて、該拡大連結管部１０６ａに接着等の手段で固定される。該継足し筒１０４の上下長さは、前記筒状濾過槽６の高さに応じて設定されるものであり、前記外筒体２０内に立設状態に納設される前記内筒体２３の上端２１の必要高さを考慮して設定される。
【００４８】
このように内筒体２３は、濾過槽本体部材２６を構成する前記筒体７６の上部連結管部１０６に継足し筒１０４を連結する構成を採用するため、どのような施工現場においても、規格化された濾過槽本体部材２６を共通に用いることができ、施工現場の掘削深さに応じて所要長さに設定した継足し筒１０４の下部分１０５を前記筒体７６の上部連結管部１０６に連結するだけで、上下所要長さを有する内筒体２３を簡易に然も製造コストの低減を図って構成できることになる。特に本実施例においては、継足し筒１０４の製造の容易化を図るため、直線状のパイプを所要長さに切断して継足し筒１０４を構成することとしている。かかることから、雨水処理装置１を構成するに際し、施工の容易化と施工コストの低減を期し得ることとなる。
【００４９】
前記流入空間３０内の被処理雨水３は、図４に矢印で示すように、前記取水部３３を通してのみ前記内筒体２３内に流入するものとなされている。そのために本実施例においては、該内筒体２３の上端２１の高さを、前記流入空間３０内の被処理雨水３が該上端２１から該内筒体２３内に越流しないように設定している。具体的には、該内筒体２３の上端２１が、前記側溝２ａの計画水位よりも上に位置するように設定している。
【００５０】
前記側溝２ａは、本実施例においては図１に示すように、門形を呈する側溝ブロック１５２，１５２相互を連結して構築されている。該側溝ブロック１５２は、図１〜３に示すように、対向する一対の側壁１５３，１５３の両端上部間を連結梁１５５，１５５で一体に連結すると共に両側壁１５３，１５３間の下部が全面開放状態となるように形成されている。かかる構成を有する側溝ブロック１５２を、例えば道路側部の延長方向に沿って掘削された掘削空間部に、その底部に設けた基礎コンクリート１５４上に相互を連結して敷設して後、連続した前記開放底部１５６に底部コンクリート１５７を打設することにより所要の水路勾配を有する側溝底１５９を形成し、然る後、前記側溝２ａと前記掘削空間部との間に土砂を埋め戻す。
【００５１】
そして図３に示すように、該側溝２ａの側壁１５３の下端側１６０には連結挿入孔１６１が設けられ、該連結挿入孔１６１に前記流入管５の上流端側部分１６２が挿入され、該流入管５の外周面１６３と該連結挿入孔１６１の内周面１６５との間の隙間は例えばモルタル１４６で間詰めされる。これにより、該流入管５が該側壁部３１に連結される。又図３〜４に示すように、該流入管５の下流端側部分１６７が前記外筒体２０の側壁部１６９に設けられた前記流入管挿入孔６２に挿入され、該流入管５の外周面１７０と該流入管挿入孔６２の内周面１７１との間の隙間１７２は例えばモルタル１４６で間詰めされる。これにより、該流入管５が側溝２ａに連結される。本実施例において、前記流入管５を前記側溝２ａの側壁１５３の下端側１６０に連結しているのは、降雨量の少ないときにも、側溝２ａを流下する被処理雨水３を有効活用して地下浸透させることができるようにするためである。かかる構成を有する側溝２ａの深さは、該側溝２ａに流入する雨水の量を考慮して所要に設定される。そして前記筒状濾過槽６の高さは、該側溝２ａに対する前記流入管５の連結部１７３の高さを考慮して所要に設定される。
【００５２】
前記流入管５は、水勾配を有して配設されており、図４に示すように、その下流端の管底１７５は、前記流出管１０の管底１７６よりも上に位置されているが、どの程度上に位置させるかは、前記側溝２ａ（雨水排水路２）から前記流入空間３０に流入した被処理雨水３を前記雨水貯留槽１１に重力の作用で自然流下により流入させることができる程度に設定される。本発明者の実験によれば、最低でも１５０ｍｍは必要であることが分かった。図４においては、両管底１７５，１７６間の高さの差が４１０ｍｍ程度に設定されている。
【００５３】
図４は、前記継足し筒１０４の下部分１０５を前記筒体７６に連通状態に連結して構成した前記内筒体２３の前記濾材支持部８０に前記濾材７を載置した状態を示している。該濾材７は例えば、多孔質の発泡ポリプロピレンの細片や、活性炭、その他の公知の濾過素材からなり、図４、図９に示すように、例えばポリエチレンやポリエステル等の合成繊維を素材とするメッシュ状布からなる袋１７７に収容されている。このようにして濾材７を収容して構成された前記濾材袋７９は、所要の変形性を有しており、その上面部１７９に引っ掛かり部１８０（図９）が設けられている。そして該濾材袋７９は、前記内筒体２３内に被処理雨水３が導入されたときに浮力で浮き上がるのを防止するために、浮上り防止部材１８１で下方向に押え付けられる。
【００５４】
該浮上り防止部材１８１は、図４、図９に示すように、前記濾材袋７９を下方向に押える押え板１８２を有しており、該押え板１８２は、例えば、複数の通水孔１８３が設けられたメッシュ状を呈している。そして、該浮上り防止部材１８１の押え板１８２がこのようにして濾材袋７９を下方向に押えた状態で、前記流出管１０の上流開口端１８４が前記濾材７の上側に位置した状態となされる。このとき、該上流開口端１８４の全体が開放状態になることの他、該濾材袋７９の収容状態の如何によって処理雨水を流出管１０に円滑に流入させることができる限り、該上流開口端１８４の一部分が濾材袋７９の上部分で塞がれた状態になってもよい。
【００５５】
該浮上り防止部材１８１は、より具体的には図９、図１２に示すように、前記押え板１８２の対向側１８５，１８５で且つ長方形の頂点位置で、上下に長い４本の棒状把手部材１８６ａ，１８６ｂ，１８６ｃ，１８６ｄが立設状態に設けられている。該対向側１８５，１８５に位置する２本の棒状把手部材１８６ａ，１８６ｂ、１８６ｃ，１８６ｄの夫々の上端部分は外側に直角に屈曲されて、屈曲係止部１８７，１８７，１８７，１８７が形成されている。そして、長方形の一方の長辺側に存する両棒状把手部材１８６ａ，１８６ｃの上端寄り部位相互、他方の長辺側に存する両棒状把手部材１８６ｂ，１８６ｄの上端寄り部位相互が、夫々、持ち手横杆１８９ａ，１８９ｂで連結されている。該浮上り防止部材１８１を構成する棒状把手部材１８６ａ，１８６ｂ，１８６ｃ，１８６ｄの長さ及び該持ち手横杆１８９ａ，１８９ｂの配設高さは前記筒状濾過槽６の高さに応じて設定されるものであり、前記蓋版４９を取り外した状態で、前記濾材袋７９を下方向に押えた状態にある浮上り防止部材１８１を、前記持ち手横杆１８９ａ，１８９ｂを手で握って持ち上げることができる程度に設定されている。
【００５６】
そして前記屈曲係止部１８７，１８７，１８７，１８７は、図１２〜１３に示すように、前記継足し筒２９の上端に設けられた欠切凹部１９０，１９０，１９０，１９０（図９）の対応のものに嵌め入れられ、その後、半円弧状に屈曲した２個の押え部材１９１，１９１が、その下面１８８が前記屈曲係止部１８７の、例えば先端頭部１８７ａに当接した状態で、前記円形リング部材４５の内周面１９２に着脱可能にボルト１９３で固定される。これにより、前記屈曲係止部１８７が前記欠切凹部１９０に拘束された状態となり、前記浮上り防止部材１８１の浮上りが阻止される。従って前記濾材袋７９は、前記押え板１８２によって上から押さえ付けられた状態で、浮力で浮上がることなく定位置に固定される。
【００５７】
この状態で、図２、図４に示すように、前記雨水排水路２（側溝２ａ）からの被処理雨水３が、前記取水部３３及び前記筒体７６の前記下端７５を通して前記内筒体２３内に導入され、これが、前記濾材袋７９を下方から上方へ通過することにより、該被処理雨水３に含まれている汚濁物質が前記濾材７によって濾過や吸着により除去される。汚濁物質が低減された綺麗な処理雨水９が前記押え板１８２の前記通水孔１８３を通して上昇し、その後、前記流出管１０を通して排出される。
【００５８】
前記濾材袋７９は、定期的に新品と交換されることにより、安定した濾過性能を継続して確保できることになる。この濾材袋７９の交換に際しては、前記押え部材１９１，１９１を前記円形リング部材４５から取り外して後、前記浮上り防止部材１８１の前記持ち手横杆１８９ａ，１８９ｂを手で握って該浮上り防止部材１８１を持ち上げる。その後、引き上げ棒材の下端のフック部を前記濾材袋７９の上面部１７９に設けられている前記引っ掛かり部１８０に引っ掛けて後、該濾材袋７９を引き上げる。然る後、該引き上げ棒材の前記フック部を新品の濾材袋７９の引っ掛かり部１８０に引っ掛けた状態で吊り降ろし、前記濾材支持部８０に載置し該フック部を引っ掛かり部１８０から外す。その後、図４に示すように、前記浮上り防止部材１８１を前記内筒体２３内に挿入し、前記屈曲係止部１８７，１８７，１８７，１８７を、前記欠切凹部１９０，１９０，１９０，１９０の対応のものに嵌め入れる。然る後、前記と同様にして、前記押え部材１９１，１９１を前記円形リング部材４５の内周面１９２にボルト１９３で着脱可能に固定する。これにより、浮上り防止部材１８１の前記押え板１８２が濾材袋７９の浮上りを阻止し、該濾材袋７９を定位置に固定できる。
【００５９】
前記濾材袋７９を引き上げた状態で、前記内筒体２３の上端２１から吸管を投入し該吸管の下端部分を、前記濾材支持部８０に設けられている格子目（網目）９３（図６）を通して下方に挿入し、前記泥溜め部１３５（図４、図８）に沈殿している沈殿物を該吸管の吸引作用によって吸引排除する。この場合、例えば図８（Ａ）に一点鎖線で示すように、前記外筒体２０の底面１３３をその中央部分に向けて下方に傾斜した傾斜面として形成する場合は、該吸管の吸引作用によって、外筒体２０の底面１３３の全体に沈殿している沈殿物を該中央部分に移動させ易くなり、沈殿物を効率よく吸引して排除できることになる。前記筒状濾過槽６においては、このように、前記流入空間３０に流入した被処理雨水中の汚濁物質を前記底面１３３に沈殿させることができるため、濾材７の濾過負担を軽減できる。
【００６０】
前記地下浸透層１２は例えば図１〜２、図１４に示すように、１０ｃｍ程度の厚さを有する敷き砂１９６上に、透水性を有し且つ土が進入するのを防止し得る不織布製の透水シート１９７で全体が被覆された砕石層１９９を設けてなり、該砕石層１９９の例えば上側部分を横断するように前記流出管１０が配設されている。該地下浸透層１２の平面視での面積や上下厚さは、該地下浸透層１２で流出させるべき処理雨水の量を考慮して所要に設定されるものである。
【００６１】
前記流出管１０の該横断する管部分１３は、処理雨水を排出させる流出孔１５が分散状態に多数設けられてなる有孔管部２０１とされている。前記流出管１０の前記下流管１０ｃは、一連に形成されてもよいのであるが、本実施例においては図１４に示すように、該有孔管部２０１は、独立した一本の有孔管２０２として構成されている。即ち該流出管１０は、該有孔管２０２とその前後の分割管２０３，２０５とに３分割されており、該有孔管２０２と前の分割管２０３及び、該有孔管２０２と後の分割管２０５は、夫々、ソケット部２０６に端部分２０７を挿入して連結されている。
【００６２】
そして、前記地下浸透層１２から突出状態の突出管部２０９の下流端部分２１０（前記流出管１０の下流部２１１）は、図２に示すように、前記雨水貯留槽１１の側壁部２１２の上部２１３に設けた挿入孔２１５に挿入状態で固定されており、該雨水貯留槽１１には、貯留水を排出するための前記排出部１７が設けられている。以下に、該排出部１７を例示する。
【００６３】
図２においては、貯留槽底部２１６に凹設したピット２１７に設置された水中ポンプ２１９で汲み上げた貯留水を、排水管２２０を介して、中水として利用可能としたり、河川に放流させるようになされており、該排水管２２０の端部２２１が前記排出部１７である。中水としての利用には、洗車や散水のための利用、園芸用水、融雪用水、トイレ用水、緊急時の防火用水、生活用水等としての利用を挙げることができる。又、図１５においては、該雨水貯留槽１１の側壁部２１２の下部２２２に開口した排水孔２２３に連結された排水管２２５を介して、貯留水が直接河川等に自然流下で放流されるようになされており、該排水管２２５の端部２２６が前記排出部１７である。特に図１５に一点鎖線で示すように、前記側壁部２１２の中間高さ部位に設けた排水孔２２７に排水管２２９を連設して雨水貯留槽１１内の貯留水を河川等に放流するように構成した場合は、該排水孔２２７よりも下側に貯留されている貯留水２３０を中水として利用できる。
【００６４】
又図１６に示す雨水貯留槽１１は、中水として利用される雨水を貯留しておく中水利用槽２３１に、中間隔壁部２３２を介して、河川等に放流される雨水を一時的に貯留する雨水一時貯留槽２３３を連設した構成を有している。前記突出管部２０９の下流端部分２１０が、前記中水利用槽２３１の側壁部２３５の上部２３６に設けた挿入孔２３７に挿入状態で固定されると共に、前記中間隔壁部２３２の上端部分に越流開口部２３９が設けられている。そして、該越流開口部２３９で越流して前記雨水一時貯留槽２３３に流入した雨水は、図２に示したと同様にして、貯留槽底部２３５に凹設したピット２３６に設置された水中ポンプ（図示せず）で汲み上げられ、排水管を介して河川に放流されるようになされている。この場合は、該排水管の端部が前記排出部１７である。或いは図１６に示すように、該雨水一時貯留槽２３３の側壁部２１２の下部２４１に開口した排水孔２４２に連設された排水管２４３を介して貯留水が自然流下で河川等に放流されるようになされており、該排水管２４３の端部２４５が前記排出部１７である。そして、前記中水利用槽２３１内の貯留水２４６は、中水利用槽底部２４７に設けたピット２４９に設置された水中ポンプ２５０で汲み上げて中水として利用できる。
【００６５】
前記流出管１０に流入した前記処理雨水９は、前記流出孔１５から前記地下浸透層１２に流出されるが、該地下浸透層１２によって大きな浸透面積を確保できるため、該流出した処理雨水９を該地下浸透層１２の周辺地盤に効率的に浸透させることができる。これによって地下水の涵養を図り、地盤沈下の防止や植物への水分補給を達成でき、又、地下水を汲み上げて各種に利用することもできる。そして、前記地下浸透層１２で地下浸透する雨水は、前記筒状濾過槽６で濾過処理された綺麗な雨水であるため、該地下浸透層１２を目詰まりさせにくい。加えて、前記砕石層１９９は前記透水シート１９７で被覆されているため、地下浸透層１２の目詰まりを極力抑制しながら処理雨水９の地下浸透を効率的に図ることができる。又、このように綺麗な処理雨水を地下浸透させるため、地下水を汚染することもない。
【００６６】
そして、地下浸透できる量を越えた余剰の処理雨水は前記雨水貯留槽１１に流入することになるが、該流入水は、前記のように中水として利用可能である。特に豪雨時等の非常時においては、地下浸透を優先してそれを超える分を雨水貯留槽１１に貯留できるため、前記処理雨水９を雨水貯留槽１１に直接的に流入させる場合に比し、該雨水貯留槽１１への処理雨水の流入量を減少させて雨水貯留槽１１の負担軽減を達成できる。その結果、豪雨時における河川への雨水流出を効果的に抑制できることとなり、河川の氾濫防止に寄与できる。
【００６７】
このように本発明に係る雨水処理装置１によるときは、平常時においては地下水の涵養を図ることができ、非常時においては河川への急激な雨水流出を抑制できるのである。
【実施例２】
【００６８】
本発明は、前記実施例で示したものに限定されるものでは決してなく、特許請求の範囲の記載内で種々の設計変更が可能であることはいうまでもない。その一例を挙げれば次のようである。
【００６９】
(1) 図１７〜１８は、雨水処理装置１の他の態様を示すものであり、前記側溝２ａは、前記実施例で示した場合よりも深く形成されると共に、前記継足し筒１０４の長さも長く形成されている。該側溝２ａの深さは、側溝２ａに流入する雨水の流入量を考慮して設定されるものである。又本実施例においては、筒状濾過槽６が、車道と歩道との境界部分や、歩道とそれに連なる土地との接続部分等、側溝の構築場所よりも一段高くなった場所に構築される場合が示されており、継足し筒１０４の長さを長く設定することによって内筒体２３の上下長さを大きく設定し、これによって筒状濾過槽６の必要高さに応じている。この場合も、前記実施例で示したと同様の上下長さを有する濾過槽本体部材２６を用いて内筒体２３の下側部分を構成しており、継足し筒１０４の長さの設定だけで筒状濾過槽６の高さの増大に応じている。
【００７０】
(2) 前記筒状濾過槽６を構成する前記有底の外筒体２０は、高さが比較的低いものであればコンクリート製等の一体物として構成することもできるが、例えば図１８に示すように、上下端２５１，２５２が開放された所要高さのコンクリート製の筒状ブロック２５３を所要段数積重することによって構成することもできる。この積重は、基礎４０上に載置された底版部材４１上で行なう。又その積重段数は、必要な外筒体２０の高さを考慮して設定する。
【００７１】
このように構成するときは、該筒状ブロック２５３の積重段数を所要に設定すると共に所要長さの継足し筒１０４を前記筒体７６に連結することにより、所要高さの筒状濾過槽６を、組み立て方式で簡易に構成できることとなる。これにより、筒状濾過槽構築の施工性向上と施工コストの低減を期し得ることとなる。
【００７２】
そして図１８に示すように、所要段にある筒状ブロック２５３ａ（例えば下から３段目の筒状ブロック２５３）に前記流入管挿入孔６２を設け、前記流入管５の下流端側部分１６７を該流入管挿入孔６２に挿入して該筒状ブロック２５３ａに固定する。又、所要段数にある筒状ブロック２５３ｂ（例えば下から２段目の筒状ブロック２５３）に前記流出管挿通孔６３を設け、前記流出管１０を該流出管挿通孔６３に挿通して前記内筒体２３の側壁部３６に連結する。該流入管挿入孔６２と該流出管挿通孔６３は、同一の筒状ブロックに設けられることもある。
【００７３】
図４、図１８においては、最上段の筒状ブロック２５３ｃは上方に向けて小径となる円錐状を呈しているが、図１９においては、外筒体２０がその全長に亘って同径に構成されている。
【００７４】
かかる構成を有する外筒体２０は、図４、図１９に示すように、上端開放部４７が蓋版４９で閉蓋される。
【００７５】
(3) 前記内筒体２３は、前記のように構成された濾過槽本体部材２６の上部連結管部１０６に継足し筒１０４の下部分１０５を連通状態に連結して構成されるが、該連結構造は、前記した場合とは逆に、図２０に示すように、継足し筒１０４の下部分１０５に拡大連結管部１０６ａを設け、該拡大連結管部１０６ａに前記筒体７６の上部分２５５を挿入して構成することもできる。
【００７６】
又、該継足し筒１０４の下部分１０５を前記上部連結管部１０６に連結する構成は、前記のように、前記下部分１０５や前記上部分２５５を拡大連結管部１０６ａに挿入することの他、該下部分１０５と該上部連結管部１０６とをねじ込み方式で連結することもできる。
【００７７】
更には図２１に示すように、前記筒体７６の上部分１０３と前記継足し筒１０４の下部分１０５相互を連結筒２７５を介して連結することもできる。該連結筒２７５は、環状部２７６の上下端に上下のソケット部２７７，２７９が連設されており、該下のソケット部２７９に前記上部分を挿入すると共に該上のソケット部２７７に前記下部分１０５を挿入することによって前記継足し筒１０４の下部分１０５を筒体７６の上部分１０３に連結できて所要の内筒体２３を構成できる。
【００７８】
(4) 前記内筒体２３の下部側に取水部３３を設ける構成は、図２２〜２３に示すように、該筒体７６の側壁部１１０の下端部分２５６に欠切部２５７や開口部２５９を設け、これらを以て取水部３３とすることもある。このように構成する場合、該筒体７６の下端（即ち、内筒体２３の下端２２）が閉蓋されることもある。
【００７９】
(5) 前記外筒体２０内に内筒体２３を立設状態に納設する際、該外筒体２０と該内筒体２３の軸線を略合致させることの他、両者の軸線が位置ずれする場合もある。
【００８０】
(6) 前記内筒体２３内には、その下部側に設けられた取水部３３を通してだけ被処理雨水３が流入するものであり、内筒体２３の上端２１から内筒体２３の内部に被処理雨水３が流入することはない。これは、濾過処理されていない被処理雨水が前記流出管１０を介して筒状濾過槽６外に排出されるのを防止するためである。
【００８１】
そのために、前記内筒体２３の上端２１は、前記流入管５からの被処理雨水３が該内筒体２３内に越流しない高さに設定されるのであるが、越流の恐れがある場合は、該内筒体２３の上端２１が、例えば図２４に示すように密閉蓋（樹脂製や鋳鉄製等）２６１で閉蓋される。該密閉蓋２６１は、下面にパッキン材２６２が設けられてなり、該密閉蓋２６１を密閉した状態では、該パッキン材２６２が内筒体２３の上端２１に密着した状態となり、内筒体２３内に水が入らないようになされる。該蓋版２６１の上面には把手（図示せず）が設けられている。
【００８２】
そして本実施例においては、このように密閉した状態で、該蓋版２６１の下面２６３が、前記浮上り防止部材１８１の把手２６５の上端２６６に当接した状態となされる。該蓋版２６１の固定は、例えば、前記と同様構成の押え部材１９１を用いて行うことができる。より具体的には、該押え部材１９１が該蓋版２６１の上面の周縁部分２６７を押えた状態で、該押え部材１９１を前記円形リング状部材８３の内周面に着脱可能にボルト固定することにより行なうことができる。
【００８３】
このように蓋版２６１で閉蓋する場合において、前記濾材袋７９を交換する際は、前記流入空間３０内の水位が前記内筒体２３の上端２１よりも下がった状態で、前記押え部材１９１，１９１を取り外して該蓋版２６１を除去する。その後、前記と同様にして、前記上端２６６を握って浮上り防止部材１８１を持ち上げる。その後の交換要領は前記したところと同様である。
【００８４】
(7) 前記外筒体２０や前記内筒体２３は、横断面が円形状に構成されることの他、楕円形や角形等の多角形状等、非円形状に構成されることもある。又、該内筒体２３と該外筒体２０の断面形状は異なっていてもよい。又それらの材質は、コンクリート製や、塩化ビニル等の樹脂製、ステンレス製等の金属製とされることもある。又、該有底の外筒体２０は、合成樹脂の一体成形品として構成できる他、現場打ち施工によって構成されることもある。
【００８５】
(8) 前記内筒体２３内に収容された濾材７（濾材袋７９）が浮力で浮き上がる恐れがあるときは、前記したように、浮上り防止部材１８１で上から押えることになるが、該浮上り防止部材１８１は、濾材７を交換する際に該浮上り防止部材１８１による押圧を解除できるものである限り前記したものには特定されない。
【００８６】
(9) 該内筒体２３に収容される前記濾材袋７９は、上下複数段に収容されることもある。  
【００８７】
(10)前記筒体７６の内部７４に濾材７を収容する構成は、前記のように筒体７６に設けた濾材支持部８０で濾材７を下方から支持する如く構成することの他、例えば、前記と同様に構成された浮上り防止部材１８１の下面に濾材７を取り付けて行なうこともできる。その他、濾材７を筒体７６の内部に、被処理雨水を濾過できる所要状態で収容できるものであれば、各種の構成を採用できる。
【００８８】
(11)前記筒体７６の内部７４の下端側に設けられる前記濾材支持部８０は、前記した網状板として構成することの他、濾材７を下方から安定的に載置状態で支持し得る各種の支持部を具えるものとして構成できる。
【００８９】
(12)前記台座装置１１７において、図２５に示すように、前記ナット１３１の内側面２８０と前記筒体７６の外周面２８１との当接による係合によって、前記内筒体２３がその水平方向での移動が阻止されるように構成されることもある。
【００９０】
(13)前記台座装置１１７は、前記支柱ボルト１１９ａの３本又は２本を、前記底版部材４１の上面部１２０で、周方向に１２０度又は１８０度の角度を置いて立設して構成することもできる。なお、該支柱ボルト１１９ａに代えて、ネジ軸部を有さない支柱部材を用いて台座装置１１７を構成することもできる。
【００９１】
高さ調整可能な台座装置１１７を用いて前記取水部３３を構成する場合、該台座装置１１７は、前記底面１３３上に間隔を置いて固定された台座片を用いて構成することもでき、該台座片上に前記内筒体２３の下端２２を載置することによって、該台座片間の空間部分と前記内筒体２３の下端２２とにより前記取水部３３を構成することもできる。
【００９２】
(14)前記雨水排水路２は、図１に示すような、門形の側溝ブロック１５２を順次連結してその底部に底部コンクリート１５７を打設してなる側溝２ａとして構成できることの他、Ｕ字溝ブロックを順次連結してなる側溝として構成することもできる。Ｕ字溝ブロックを連結する場合は、前記流入管５の上流端側部分をＵ字溝ブロックの側壁部に連結することの他、Ｕ字溝の中間部に配設された枡部に該上流端側部分を連結することもある。更に該雨水排水路２は、例えば図１９に示すように、ボックスカルバート２７５を順次連結して構築された暗渠２ｂとして構成されることもある。この場合、前記流入管５は、例えば同図に実線や一点鎖線で示すようにボックスカルバート２７５の側壁２５４に連結できる。  
【００９３】
(15)前記流入管５の前記雨水排水路２に対する連結部は、該雨水排水路２からの被処理雨水３を前記流入空間３０に所要に流入させ得るものである限り、計画水位よりも下側部位に設定されればよく、前記したように雨水排水路２の側壁部の下端側に連結するものには限られない。例えば、降雨量が多い場合において河川への流出を抑制するために雨水処理装置１が構築される場合は、雨水排水路２の下部よりも上側に位置させて流入管５が連結されることもある。
【００９４】
(16)前記内筒体２３に対する前記流出管１０の連結は、図２６に示すように、前記連結管１１２のストレートな先端部分２７０を、該流出管１０を構成する管体の上流端側に形成したソケット部２７１に挿入して行なうこともできる。
【００９５】
又前記のように、前記連結管１１２を前記筒体７６に連通状態に設けることの他、流出管１０の上流端部分を該筒体７６の側壁部１１０に直接的に連結して構成することもできる。
【００９６】
(17)前記のように構成された筒状濾過槽６に連結される流入管５は複数本とされることもあり、又、前記流出管１０の本数も複数本とされることがある。
【００９７】
(18)前記地下浸透層１２に存する前記管部分１３は、該地下浸透層１２の厚さ方向の中間部分を横断するように配設されてもよい。
【００９８】
(19)前記濾材７は、前記のようにメッシュ状の袋に収容されることの他、かかる袋に収容されないで用いられることもある。
【００９９】
(20)図２７に示す雨水処理装置１は、前記流出管１０の前記下流管１０ｃの全体が前記地下浸透層１２に埋設されると共に下流端２７が蓋体２７２で閉止されており、該流出管１０に設けられた流出孔１５から排出された処理雨水が該地下浸透層１２に浸透するように構成されている。
【０１００】
(21)図２８に示す雨水処理装置１は、前記流出管１０の下流端２７３が河川に開放するように構成され、処理雨水は、前記のように地下浸透層１２に排出されたり、雨水貯留槽１１に流入したりすることなく、河川にのみ排出するように構成されている。又、流出管１０を地下浸透層１２に埋設することなくその下流端部分を雨水貯留槽１１に直接的に連結し、前記筒状濾過槽６で濾過処理された処理雨水が該雨水貯留槽１１に直接流入するようになし、該流入水を中水として利用可能とすることもできる。
【符号の説明】
【０１０１】
１  雨水処理装置
２  雨水排水路
３  被処理雨水
５  流入管
６  筒状濾過槽
７  濾材
９  処理雨水
１０  流出管
１１  雨水貯留槽
１２  地下浸透層
１５  流出孔
１６  貯留水
１７  排出部
１９  上端開放部
２０  外筒体
２１  上端
２２  下端
２３  内筒体
２５  下側部分
２６  濾過槽本体部材
２７  上部
２９  継足し筒
３０  流入空間
４１  底版部材
６２  流入管挿入孔
６３  流出管挿通孔
７３  上端
７５  下端
７６  筒体
７７  下端側
７９  濾材袋
８０  濾材支持部
８１  濾材支持部材
１０６  上部連結管部
１１１  側部連結部
１１７  台座装置
１１９  支柱部材
１２７  支持片
１３５  泥溜め部
１３９  ソケット部
１４０  ソケット部
１５２  側溝ブロック
１８１  浮上り防止部材
２２０  排水管
２５３  筒状ブロック
【図１】
0005726507.tif 000002
【図２】
0005726507.tif 000003
【図３】
0005726507.tif 000004
【図４】
0005726507.tif 000005
【図５】
0005726507.tif 000006
【図６】
0005726507.tif 000007
【図７】
0005726507.tif 000008
【図８】
0005726507.tif 000009
【図９】
0005726507.tif 000010
【図１０】
0005726507.tif 000011
【図１１】
0005726507.tif 000012
【図１２】
0005726507.tif 000013
【図１３】
0005726507.tif 000014
【図１４】
0005726507.tif 000015
【図１５】
0005726507.tif 000016
【図１６】
0005726507.tif 000017
【図１７】
0005726507.tif 000018
【図１８】
0005726507.tif 000019
【図１９】
0005726507.tif 000020
【図２０】
0005726507.tif 000021
【図２１】
0005726507.tif 000022
【図２２】
0005726507.tif 000023
【図２３】
0005726507.tif 000024
【図２４】
0005726507.tif 000025
【図２５】
0005726507.tif 000026
【図２６】
0005726507.tif 000027
【図２７】
0005726507.tif 000028
【図２８】
0005726507.tif 000029
【図２９】
0005726507.tif 000030